(57)【要約】【課題】アンテナ搭載の情報処理装置において、人体によるノイズの影響を最小限に抑えて安定した信頼性の高いアンテナ性能を確保し、取付交換の容易な情報処理装置を提供する。【解決手段】低背な平板アンテナ１、２をキーボード５を挟んで左右両側に配置し、本体ケース４と連続した外形形状のアンテナカバー８、９を取り付け、平板アンテナ１、２からの給電ラインはキーボード５直下の無線ＬＡＮユニット６に接続される。【選択図】　図１
2004118666.tif 000002
【特許請求の範囲】
【請求項１】
情報処理装置の本体ケースと、キーボードと、前記キーボード手前に設けられたポインタデバイスおよびパームレスト部と、前記キーボードを挟んで両側左右に取り付けられ給電ラインが実装されたアンテナとを備えたことを特徴とするアンテナ搭載情報処理装置。
【請求項２】
アンテナを覆い本体ケースと連続した外形形状を有するアンテナカバーを備えたことを特徴とする請求項１記載のアンテナ搭載情報処理装置。
【請求項３】
アンテナをアンテナカバーに取り付けたことを特徴とする請求項１記載のアンテナ搭載情報処理装置。
【請求項４】
アンテナからの給電ラインを接続した無線ＬＡＮユニットを、キーボード直下に設置したことを特徴とする請求項１記載のアンテナ搭載情報処理装置。
【発明の詳細な説明】
【０００１】
【発明の属する技術分野】
本発明は、無線ＬＡＮ内蔵ノートパソコンなど、アンテナ搭載の情報処理装置に関する。
【０００２】
【従来の技術】
近年、ノートパソコンなどの情報処理装置において、無線ＬＡＮなど、ワイヤレスでの通信方法のニーズが高まっている。従来のノートパソコンは、アンテナをディスプレイ表示部に配置している（特許文献１参照）。また、ポインタデバイスの左右に配置しているものもある（特許文献２参照）。
以下、従来のアンテナ搭載情報処理装置について説明する。
【０００３】
図３は従来のアンテナ搭載情報処理装置の一例を示す斜視図である。図において、３１、３２は平板アンテナ、３３はポインタデバイス、３４は情報処理装置の本体ケース、３５はキーボード、３６は無線ＬＡＮユニット、３７は表示部である。平板アンテナ３１、３２はポインタデバイス３３を挟んで左右両側に内蔵されている。
【０００４】
以上のように構成された従来のアンテナ搭載情報処理装置では、通常、無線ＬＡＮユニット３６はキーボード３５の下へ内蔵されており、平板アンテナ３１、３２をキーボード３５と隣接するポインタデバイス３３の左右に内蔵することにより、給電ライン長を短くでき、給電ロス低減とコスト低減を図ることが可能となる。
【０００５】
【特許文献１】
特開２００２−１５１９２８号公報
【特許文献２】
特開２００２−２０７５３５号公報
【０００６】
【発明が解決しようとする課題】
しかしながら、上記の構成では、平板アンテナがパームレスト部に内蔵されており、この部分は人体の手がのるので、そのノイズによるアンテナ性能の安定性が損なわれる。
【０００７】
本発明は上記課題を解決するもので、人体によるノイズの影響を最小限に抑えて安定した信頼性の高いアンテナ性能を確保し、かつ、取り付け交換作業性をも向上させることを目的とする。
【０００８】
【課題を解決するための手段】
上記課題を解決するために本発明においては、給電ラインを実装した低背な平板アンテナをキーボードを挟んで両側左右に取り付け、給電ラインはキーボード下の無線ＬＡＮユニットに引き回し、ケースと同様形状のアンテナカバーで覆うように構成したものである。
【０００９】
【発明の実施の形態】
本発明の請求項１に記載の発明は、情報処理装置の本体ケースと、キーボードと、前記キーボード手前に設けられたポインタデバイスおよびパームレスト部と、前記キーボードを挟んで両側左右に取り付けられ給電ラインが実装されたアンテナとを備えたことを特徴とするアンテナ搭載情報処理装置であり、平板アンテナがキーボードを挟んで両側左右に取り付けられ、パームレスト部には平板アンテナを取り付けないため、人体によるノイズの影響を最小限に抑えて安定した信頼性の高いアンテナ性能を確保するという作用を有する。
【００１０】
本発明の請求項２に記載の発明は、請求項１に記載のアンテナ搭載情報処理装置において、アンテナを覆い本体ケースと連続した外形形状を有するアンテナカバーを備えたことを特徴とするアンテナ搭載の情報処理装置であり、情報処理装置本体に違和感無く一体化して取り付けられ、デザインへの影響が生じないという作用を有する。
【００１１】
本発明の請求項３に記載の発明は、請求項１に記載のアンテナ搭載情報処理装置において、アンテナをアンテナカバーに取り付けたことを特徴とするアンテナ搭載情報処理装置であり、アンテナカバーをワンタッチ嵌合で取り付け、取り外しが可能であり、取り付け交換作業性を向上させるものである。
【００１２】
本発明の請求項４に記載の発明は、請求項１に記載のアンテナ搭載情報処理装置において、アンテナからの給電ラインを接続した無線ＬＡＮユニットを、キーボード直下に設置したことを特徴とするアンテナ搭載情報処理装置であり、給電ライン長が最小限となり、給電ロスが低減するとともに、取り付け交換作業性を向上させるものである。
【００１３】
以下、本発明の実施の形態について、図を用いて説明する。
【００１４】
（実施の形態１）
図１は本発明の一実施の形態のアンテナ搭載情報処理装置の斜視図、図２は詳細斜視図を示すものである。図において、１、２は給電ラインを実装した低背な平板アンテナ、３はポインタデバイス、４は情報処理装置の本体ケース、５はキーボード、６は無線ＬＡＮユニット、７は表示部、８、９は本体ケースと連続した外形形状を有するアンテナカバー、１０、１１はパームレスト部である。平板アンテナ１、２はキーボード５を挟んで左右両側に内蔵されている。アンテナカバー８、９は、平板アンテナ１、２を取り付けた後に、本体ケース４に嵌合取り付けられる。
【００１５】
以上のように構成された本発明の実施の形態では、キー入力などの操作時の人体、特に手の置き場所はパームレスト部１０、１１となり、平板アンテナ１、２はキーボード５を挟んで左右両側に内蔵されているため、直接に手は触れない部分に平板アンテナ１、２は設置されている。給電ラインはキーボード５の下に内蔵されている無線ＬＡＮユニット６に接続され、平板アンテナ１、２はアンテナカバー８、９で覆われる。アンテナカバー８、９は、本体ケース４にワンタッチ嵌合で取り付け、取り外しが可能である。
【００１６】
このように、平板アンテナ１、２はキーボード５を挟んで左右両側に内蔵されているため、人体によるノイズの影響を最小限に抑えて安定した信頼性の高いアンテナ性能を確保することが可能である。
【００１７】
また、アンテナカバー８、９はワンタッチ嵌合で取り付け、取り外しが可能であるため、取り付け交換作業性が向上するだけでなく、本体ケースと連続した外形形状を有しているため、情報処理装置本体と一体化し、デザインへの影響が生じることがない。
【００１８】
また、平板アンテナ１、２はキーボード５を挟んで左右両側に内蔵されており、平板アンテナ１、２からの給電ラインを接続した無線ＬＡＮユニット６を、キーボード５の直下に設置したことにより、給電ライン長が最小限となり、給電ロスを低減するとともに、取り付け交換作業性も向上する。
【００１９】
以上説明したように、本実施の形態では人体によるノイズの影響を最小限に抑えて安定した信頼性の高いアンテナ性能を確保し、かつ、取り付け交換作業性をも向上させることができる。
【００２０】
【発明の効果】
以上のように本発明のアンテナ搭載情報処理装置は、平板アンテナをキーボードを挟んで左右両側に内蔵し、給電ラインはキーボードの下に内蔵されている無線ＬＡＮユニットに接続され、平板アンテナはアンテナカバーで覆われ、アンテナカバーは、ケースにワンタッチ嵌合で取り付け、取り外しが可能である構成とすることにより、人体によるノイズの影響を最小限に抑えて安定した信頼性の高いアンテナ性能を確保し、かつ、取り付け交換作業性をも向上させるものである。
【図面の簡単な説明】
【図１】本発明の一実施の形態のアンテナ搭載情報処理装置の斜視図
【図２】本発明の一実施の形態のアンテナ搭載情報処理装置の詳細斜視図
【図３】従来のアンテナ搭載情報処理装置の斜視図
【符号の説明】
１、２　平板アンテナ
３　ポインタデバイス
４　本体ケース
５　キーボード
６　無線ＬＡＮユニット
７　表示部
８、９　アンテナカバー
１０、１１　パームレスト部
【図１】
2004118666.tif 000003
【図２】
2004118666.tif 000004
【図３】
2004118666.tif 000005